(57)【要約】      （修正有）【課題】携帯式電子端末を保護する機能を強化し、操作を便利にし、さらに外観上も優れたプロテクトカバーを提供する。【解決手段】プロテクトカバー（保護カバー）は、相互に連結されて開閉可能な第一プロテクトボード１０及び第二プロテクトボード１１を備える。このうち、第一プロテクトボード１０は携帯電子端末を固定するのに用いられ、その面には少なくとも１個の横向きの曲折部Ｂを有し、この曲折部Ｂにより上部サポート部１０１及び下部サポート部１０２を形成している。第二プロテクトボード１１には、１個以上の横向きの定位槽１１１が設けられている。第二プロテクトボード１１と第一プロテクトボード１０とを閉じることで、前記第一プロテクトボード１０に設置された携帯電子端末を保護することができる。【選択図】図１
0003164648.tif 000002
【実用新案登録請求の範囲】
【請求項１】
相互に連結されて開閉可能な第一プロテクトボードおよび第二プロテクトボードを備えるプロテクトカバーであって、
前記第一プロテクトボードは、テレコム製品を受けて固定設置するものであり、この第一プロテクトボードは少なくとも１個の横向きの曲折部を有し、この曲折部により当該第一プロテクトボードが上部サポート部と下部サポート部とに区分されており、
前記第二プロテクトボードは、１個以上の横向きの定位槽を有していることを特徴とするプロテクトカバー。
【請求項２】
前記第一プロテクトボードの上部サポート部および下部サポート部の周辺には、それぞれ複数の上部固定突起部および下部固定突起部が設置されており、これらの上部固定突起部および下部固定突起部がそれぞれテレコム製品の周縁を支えて固定することを特徴とする請求項１に記載のプロテクトカバー。
【請求項３】
前記第二プロテクトボードは、その周辺に少なくとも１個の突起部が設置され、第一プロテクトボードが閉じられた際にテレコム製品をしっかりと固定してこれを保護することを特徴とする請求項１に記載のプロテクトカバー。
【請求項４】
前記第一プロテクトボードの上部サポート部および下部サポート部、並びに、前記第二プロテクトボードは、薄い樹脂材板、金属板または紙板を基材として構成されると共に、これらの基材の外表面がレザー材または布材で覆われていることを特徴とする請求項１に記載のプロテクトカバー。
【考案の詳細な説明】
【技術分野】
【０００１】
本考案は、プロテクトカバー（保護カバー）の改良に関する。特に、設置時及び使用時に簡単且つ便利であり、携帯式テレコム製品を保護すると同時に、操作が便利で、外観上も優れた多重的効果（多様な効果）を発揮して、適用性、理想性及び進歩性を備えたプロテクトカバーに関する。
【背景技術】
【０００２】
ハイテク技術の目覚しい進歩に伴い、デジタルメディアプレーヤー（DMP）、グローバル・ポジショニング・システム（GPS）、タブレット型コンピューター（IPAD）、タッチスクリーン型携帯電話等の、各種のLCDやOLEDをディスプレー・インターフェイスとする携帯式テレコム製品が、次々と発表されて現代社会の新たな流行を作り出している。
【０００３】
前記テレコム製品は、通常、携帯に便利であると同時に、摩擦や衝撃により損傷するのを回避する目的で、プロテクトカバーが使用される場合が多い。現在、最も多く使用されているプロテクトカバーのタイプは、主に、直接テレコム製品を収納するタイプのカバー型またはバッグ型である。あるいは、テレコム製品の外観に応じて直接対応させ、結合させるプロテクトカバーである。これらのプロテクトカバーまたはバッグの設計は、テレコム製品に対して所定の保護効果を達成するものの、実施上、改善・強化すべき点が認められる。
【先行技術文献】
【特許文献】
【０００４】
【特許文献１】（特になし）
【考案の概要】
【考案が解決しようとする課題】
【０００５】
したがって、本考案は、従来の技術の欠点を改善すると同時に、携帯式テレコム製品を保護する機能を強化し、操作を便利にし、さらに、外観上も優れたプロテクトカバーの改良品を提供することを課題（目的）とする。
【課題を解決するための手段】
【０００６】
上記課題を解決するために、本考案は、従来の技術の欠点を改善すると同時に、携帯式テレコム製品を保護する機能を強化し、操作を便利にし、さらに、外観上も優れたプロテクトカバーの改良品を提供するものである。
【０００７】
上記目的を達成する本考案のプロテクトカバーは、相互に連結されて、開閉可能な第一プロテクトボード及び第二プロテクトボードを備える。このうち、第一プロテクトボードは、テレコム製品を固定するのに用いられて、その面（周囲面）に少なくとも１個の横向きの曲折部を有して、上部サポート部及び下部サポート部を形成する。第二プロテクトボードの面（周囲面）には、少なくとも１個以上の横向きの定位槽が設置される。これにより、第二プロテクトボードと第一プロテクトボードが閉じて固定されて、前記第一プロテクトボードに設置されたテレコム製品を保護する効果を奏する。第二プロテクトボードが展開され、第一プロテクトボードの下部サポート部がテレコム製品を固定しない時、前記第一プロテクトボードは、上に向かって開き、曲折部が曲折して、テレコム製品の下端が外部に移動し、第二プロテクトボードのいずれかの定位槽に固定される。さらに、前記曲折した第二プロテクトボードの下部サポート部は、一つのスタンドを形成してテレコム製品を支えることにより、テレコム製品を角度を定めて設置し、操作並びに閲読、観賞が可能になる。
【考案の効果】
【０００８】
本考案のプロテクトカバーは、従来技術の欠点を改善して、設置時及び使用時に簡単且つ便利であり、携帯式テレコム製品を保護すると同時に、操作が便利で、外観上も優れた多重効果（多様な効果）を達成して、適用性、理想性及び進歩性を備える。
【図面の簡単な説明】
【０００９】
【図１】図１は、本考案の実施例のプロテクトカバーを平面状に展開した状態の斜視図である。
【図２】図２は、本考案の実施例のプロテクトカバーをテレコム製品と組合せて、平面状に展開した状態の斜視図である。
【図３】図３は、本考案の実施例のプロテクトカバーを閉じた状態の斜視図である。
【図４】図４は、図２の前から見た正面図である。
【図５】図５は、本考案の実施例のプロテクトカバーをテレコム製品が傾斜状に設置できるまで展開した状態の正面イメージ図（一）である。
【図６】図６は、本考案の実施例のプロテクトカバーをテレコム製品が傾斜状に設置できるまで展開した状態の正面イメージ図（二）である。
【図７】図７は、本考案の実施例のプロテクトカバーをテレコム製品が傾斜状に設置できるまで展開した状態の正面イメージ図（三）である。
【考案を実施するための形態】
【００１０】
以下に、図面を参照しながら、本考案のプロテクトカバー改良品について説明する。
図１、図２および図３を参照しながら説明する。本考案のプロテクトカバーは、連結し、開閉可能な第一プロテクトボード10と第二プロテクトボード11を備える。このうち、前記第一プロテクトボード10は、保護するテレコム製品Aの外観に基づいて設計され、テレコム製品Aを受けて設置する。前記第一プロテクトボードの周囲面には少なくとも１個の横向きの曲折部Bを有して、これにより上部サポート部101と下部サポート部102に区分される。上部サポート部101と下部サポート部102の周辺にはそれぞれ複数の上部固定突起部1011、下部固定突起部1021が設置されて、それぞれテレコム製品Aの周縁を支えて固定する。前記第二プロテクトボード11は、その周辺に少なくとも１個以上の横向きの定位槽111（定位部、位置決め部）を有し、周辺には少なくとも１個の突起部112が設置されて、第一プロテクトボード10に閉じられた際に、テレコム製品Aをしっかりと固定してこれを保護する。
【００１１】
図４、図５、図６および図７を参照しながら説明する。テレコム製品Aが第一プロテクトボード10に固定、設置された後、第二プロテクトボード11が閉じられることで（図３に示されたとおり）、前記テレコム製品Aに対する所定の保護効果を達成する。そして、第二プロテクトボード11が展開して開いた形態の時、前記第一プロテクトボード10に設置されたテレコム製品Aは、直接水平形態で操作及び閲覧、観賞に提供される（図２、図４参照）。さらに、ユーザーが第一プロテクトボード1の下部サポート部102周辺の下部固定突起部1021を、テレコム製品Aから離脱させると、テレコム製品Aは上部サポート部101周辺の上部固定突起部1011にのみ固定されて、第一プロテクトボード10を上に上げて、曲折部Bの位置で上部サポート部101を後ろに曲折させることにより、前記下部サポート部102の固定設置から離脱されたテレコム製品Aの下端が自動的に外側に移動し、さらに、第二プロテクトボード11のいずれかの定位槽111または先端部の突起部112の位置に挿入されて止まる（図５、図６、図７に示したとおり）。つまり、前記上部サポート部101に対応して曲折する下部サポート部102が自動的にテレコム製品Aを支えるスタンドを形成することにより、自然に、前記テレコム製品Aが設定角度の傾斜状態で安定して設置されることで、異なる使用条件に応じて、ユーザーが便利に操作、閲覧および観賞が行なえる環境を提供するということである。
【００１２】
テレコム製品Aに好適な保護作用を提供するために、前記第一プロテクトボード10の上部サポート部101、下部サポート部102及び第二プロテクトボード11は、さらに、適当な硬度の材料を基材とする。例えば、薄い樹脂材板、金属板または紙板のいずれもが使用可能で、これらの基材内、外表面を柔らかい材料（例、レザー、布のいずれもが可能）で覆うことで、美観及び保護作用を提供することができる。
【００１３】
前記第一プロテクトボード10および第二プロテクトボード11を構成する基材は、適当な硬度を有するため、下部サポート部102がテレコム製品Aを支えるスタンドを形成するまで第一プロテクトボード10を上に上げた時、傾斜して設置されたテレコム製品Aは、自然に極めて高い安定性を有する。
【００１４】
すなわち、本考案は、少なくとも以下の優れた点を有する。
（１）設置が簡単であると同時に、使用上も簡単で便利である。
（２）携帯式テレコム製品に対して、保護及び操作時、閲覧時、ならびに観賞時の利便性について多重の効果（多様な効果）をもたらす。
【００１５】
以上、本考案の実施例を図面を参照して詳述したが、具体的な構成は、これらの実施例に限られるものではなく、本考案の要旨を逸脱しない範囲の設計変更などがあっても、本考案に含まれる。
【符号の説明】
【００１６】
Ａ  テレコム製品
Ｂ  曲折部
10  第一プロテクトボード
101  上部サポート部
1011  上部固定突起部
102  下部サポート部
1021  下部固定突起部
11  第二プロテクトボード
111  第二プロテクトボードの定位槽（定位部、位置決め部）
112  第二プロテクトボードの突起部
【図１】
0003164648.tif 000003
【図２】
0003164648.tif 000004
【図３】
0003164648.tif 000005
【図４】
0003164648.tif 000006
【図５】
0003164648.tif 000007
【図６】
0003164648.tif 000008
【図７】
0003164648.tif 000009